【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
表示面を有する一又は二以上の表示装置を搭載し、ページ単位に構成可能な書籍データを前記表示面上に表示する電子書籍装置であって、
前記表示装置の識別情報ごとに、ページの並び順を示すページ列情報を有するページ表示テーブルと、
処理対象の表示装置におけるユーザーの前記書籍データのページめくり操作およびページめくり方向を検知するユーザー操作検知手段と、
前記ページめくり操作を検知したときに、前記ページ表示テーブルを参照して、
前記ページめくり方向が順方向の場合は、前記処理対象の表示装置の識別情報に関連付けられているページ列情報に示すページのうち、先頭のページとその直後のページとを前記ページ表示テーブルにおいて直前の表示装置の識別情報に関連付けられているページ列情報の最後尾に移動させる標準前方移動処理と、
前記ページめくり方向が逆方向の場合は、前記処理対象の表示装置の識別情報に関連付けられているページ列情報に示すページのうち、最後尾のページとその直前のページとを前記ページ表示テーブルにおいて直後の表示装置の識別情報に関連付けられているページ列情報の先頭に移動させる標準後方移動処理と、
のうち少なくとも一つを実行するページ移動手段と、
前記処理対象の表示装置に関連付けられているページの書籍データを当該表示装置の表示面に出力するページ表示手段と、
を備えたことを特徴とする電子書籍装置。
【請求項２】
前記ページ移動手段は、前記表示装置のめくり操作を検知したときに、前記ページ表示テーブルを参照して、
前記表示装置のめくり方向が逆方向の場合は、該めくり操作の検知された表示装置の識別情報に関連付けられているページ列情報に示すページのうち最後尾のページとその直前のページとを残して、それ以外のページを直前の表示装置の識別情報に関連付けられているページ列情報の最後尾に移動する展開前方移動処理と、
前記表示装置のめくり方向が順方向の場合は、該めくり操作の検知された表示装置の識別情報に関連付けられているページ列情報に示すページのうち先頭のページとその直後のページとを残して、それ以外のページを直後の表示装置の識別情報に関連付けられているページ列情報の先頭に移動する展開後方移動処理と、
のうち少なくとも一つを実行することを特徴とする請求項１に記載の電子書籍装置。
【請求項３】
前記ページ表示テーブルは、前記ページ列情報中に又は前記ページ列情報とは別に他のページに隠れずに表示すべきページである可読ページの識別情報を有し、前記表示装置の備える表示面と前記可読ページの識別情報とは直接的又は間接的に関連付けられており、
前記標準前方移動処理は、前記処理対象の表示装置の識別情報に関連付けられているページ列情報の新たな先頭のページを新たな可読ページとしてセットし、
前記標準後方移動処理は、前記処理対象の表示装置の識別情報に関連付けられているページ列情報の新たな最後尾のページを新たな可読ページとしてセットする
ことを特徴とする請求項１又は２に記載の電子書籍装置。
【請求項４】
前記標準前方移動処理は、前記直前の表示装置の識別情報に関連付けられているページ列情報の新たな最後尾のページを新たな可読ページとしてセットし、
前記標準後方移動処理は、前記直後の表示装置の識別情報に関連付けられているページ列情報の新たな先頭のページを新たな可読ページとしてセットする
ことを特徴とする請求項３に記載の電子書籍装置。
【請求項５】
前記ページ移動手段は、前記ページ表示テーブルにおいて前記処理対象の表示装置の識別情報に関連付けられたページ数が２以下の場合は、ページめくり方向にある表示装置に割り付けられているページ数に基づいて、前記標準前方移動処理又は前記標準後方移動処理を実行することを特徴とする請求項１又は２に記載の電子書籍装置。
【請求項６】
データ表示する複数の画面を有し、ページ単位に構成された書籍データをコンピュータによって前記画面上に表示する電子書籍装置であって、
前記コンピュータは、
書籍のページの連続性を維持しつつページ群を前記複数の画面の夫々又は任意の二画面から構成される画面対に割付ける処理と、
各ページ群において画面に表示すべき可読ページを設定する処理と、
可読ページを画面に表示出力する処理と、
画面ごとにページめくり操作を検知する処理と、
ページめくり操作に応じて、ページめくり操作が検知された画面又は当該画面が含まれている画面対に割り付けられているページ群の可読ページを変更する処理と、
を実行することを特徴とする電子書籍装置。
【請求項７】
前記コンピュータは、
ページめくり操作に応じて、ページめくり操作が検知された画面又は当該画面が含まれている画面対に割り付けられているページ群の中で、次に可読にすべきページが存在するか否かを判定し、次に可読にすべきページが存在する場合は、当該次に可読にすべきページを可読ページとして設定する一方、次に可読にすべきページが存在しない場合は、ページめくり方向に一定数おき又は連続的に順に次の画面又は画面対に関連付けられているページ群の中で、前記次に可読にすべきページが存在するか否かを判定し、存在する場合は、当該次に可読にすべきページを、ページめくり操作が検知されたページ群に移動すると共に、当該次に可読にすべきページを可読ページとして設定することを特徴とする請求項６記載の電子書籍装置。
【請求項８】
表示面を有する一又は二以上の表示装置と、
前記表示装置の識別情報ごとに、ページの並び順を示すページ列情報を有するページ表示テーブルと、を備え、
ページ単位に構成された書籍データを前記表示面上に表示する電子書籍装置に用いられるプログラムであって、
コンピュータを、
処理対象の表示装置におけるユーザーの前記書籍データのページめくり操作およびページめくり方向を検知するユーザー操作検知手段、
前記ページめくり操作を検知したときに、前記ページ表示テーブルを参照して、
前記ページめくり方向が順方向の場合は、前記処理対象の表示装置の識別情報に関連付けられているページ列情報に示すページのうち、先頭のページとその直後のページとを前記ページ表示テーブルにおいて直前の表示装置の識別情報に関連付けられているページ列情報の最後尾に移動させる標準前方移動処理と、
前記ページめくり方向が逆方向の場合は、前記処理対象の表示装置の識別情報に関連付けられているページ列情報に示すページのうち、最後尾のページとその直前のページとを前記ページ表示テーブルにおいて直後の表示装置の識別情報に関連付けられているページ列情報の先頭に移動させる標準後方移動処理と、
のうち少なくとも一つを実行するページ移動手段、
前記処理対象の表示装置に関連付けられているページの書籍データを当該表示装置の表示面に出力するページ表示手段、
として機能させるためのプログラム。
【請求項９】
データ表示する複数の画面を有し、ページ単位に構成された書籍データを前記画面上に表示する電子書籍装置に用いられるプログラムであって、
コンピュータを、
書籍のページの連続性を維持しつつページ群を前記複数の画面の夫々又は任意の二画面から構成される画面対に割付ける手段、
各ページ群において画面に表示すべき可読ページを設定する手段、
可読ページを画面に表示出力する手段、
画面ごとにページめくり操作を検知する手段、
ページめくり操作に応じて、ページめくり操作が検知された画面又は当該画面が含まれている画面対に割り付けられているページ群の可読ページを変更する手段、
として機能させるためのプログラム。